(57)【要約】【課題】専用の容器等に移し替える必要がなく、内容物の取り扱い性に優れた、使い勝手のよいパウチ容器を提供する。【解決手段】柔軟性シートによって形成された袋本体１０と、この袋本体１０を開封することによって形成される口部を開閉するファスナー部材２０及び口部を開いた状態に保持する口部保持部材３０とから構成されている。袋本体１０は、表裏一対の外装シート１１と、両外装シート１１の下端部から内側に折り込まれてボトムガセット部を形成するボトムガセットシートと、両外装シート１１の上部側に折り込まれてトップガセット部を形成するトップガセットシート１３とから構成されており、トップガセットシート１３には、袋本体１０に収容された塩胡椒の取出口となる複数の小孔１３ａが形成されている。【選択図】        図１
2004256120.tif 000002
【特許請求の範囲】
【請求項１】
柔軟性シートによって袋状に形成され、上端部を幅方向に切除または破断することによって開封される、自立性を有するパウチ容器において、
開封することによって形成された口部には、内容物の取出口を有するガセットシートによってトップガセット部が形成されていることを特徴とするパウチ容器。
【請求項２】
柔軟性シートによって袋状に形成され、上端部を幅方向に切除または破断することによって開封される、自立性を有するパウチ容器において、
開封することによって形成された口部には、通気性を有するガセットシートによってトップガセット部が形成されていることを特徴とするパウチ容器。
【請求項３】
開封することによって形成された口部には、その口部を開状態に保持する口部保持部材が取り付けられている請求項１または２に記載のパウチ容器。
【請求項４】
開封することによって形成された口部には、その口部を開閉するファスナー部材が取り付けられている請求項１、２または３に記載のパウチ容器。
【発明の詳細な説明】
【０００１】
【発明の属する技術分野】
この発明は、柔軟性シートによって袋状に形成された、自立性を有するパウチ容器に関する。
【０００２】
【従来の技術】
例えば、台所や食卓等で使用される食塩、胡椒、化学調味料等の粉状や顆粒状の商品については、簡単に振りかけることができるように、内蓋や外蓋に複数の小孔が形成された専用の瓶容器等に収容した状態で販売されていたが、こういった瓶容器等の有効利用を図るために、近年では、こういった商品を簡易なパウチ容器に充填した詰替用の商品が販売されている。
【０００３】
従って、消費者は、最初は専用の瓶容器等に充填された商品を購入することになるが、専用の瓶容器等に充填された商品を使い切った場合は、専用の瓶容器等に充填された商品を新たに購入するのではなく、簡易なパウチ容器に充填された同じ商品である詰替用の商品を購入し、空になった専用の瓶容器等に商品だけを詰め替えることにより、専用の瓶容器等を繰り返し再利用することができる。
【０００４】
【発明が解決しようとする課題】
しかしながら、繰り返し再利用される専用の瓶容器等についてもいずれは廃棄されるときがくるので、廃棄された瓶容器等については、ゴミの減容化を図ることができないといった問題がある。
【０００５】
また、簡易なパウチ容器に充填された詰替用の商品を購入するためには、上述したように、それぞれの商品に適した使い勝手のよい容器等を準備したり、専用の容器等に充填された商品を予め購入したりしておかなければならず、パウチ容器から専用の容器等への詰め替え作業に手間がかかるといった問題もある。
【０００６】
そこで、この発明の課題は、専用の容器等に移し替える必要がなく、内容物の取り扱い性に優れた、使い勝手のよいパウチ容器を提供することにある。
【０００７】
【課題を解決するための手段及びその効果】
上記の課題を解決するため、請求項１にかかる発明は、柔軟性シートによって袋状に形成され、上端部を幅方向に切除または破断することによって開封される、自立性を有するパウチ容器において、開封することによって形成された口部には、内容物の取出口を有するガセットシートによってトップガセット部が形成されていることを特徴とするパウチ容器を提供するものである。
【０００８】
以上のように、このパウチ容器は、開封することによって形成された口部に、内容物の取出口を有するガセットシートによってトップガセット部が形成されているので、口部を開くと、トップガセット部が広がり、そのガセットシートに形成された取出口から内容物を取り出すことができる。
【０００９】
従って、例えば、内容物が食塩や胡椒等の粉状や顆粒状の商品の場合は、取出口として複数の小孔をガセットシートに形成しておくと、トップガセット部を下側に向けてパウチ容器を振ることによって、充填されている粉状や顆粒状の商品がガセットシートの小孔から飛び出すので、従来の瓶容器等に移し替えなくても、瓶容器等に収容した場合と同様に、粉状や顆粒状の商品を任意の箇所にふりかけることができる。
【００１０】
また、内容物が芳香剤のような場合も、取出口として複数の小孔をガセットシートに形成しておくと、気化した芳香剤がガセットシートの小孔を通して放出されるので、内容物である芳香剤を別の容器に移し替える必要がなく、開封することによって形成された口部を開いて、任意の場所に設置するだけでよい。
【００１１】
また、内容物がウエットティッシュのようなシート状の商品の場合は、取出口として切目をガセットシートに形成しておくと、収容されているウエットティッシュの乾燥を最小限に抑えつつ、必要に応じて、ガセットシートの切目から簡単にシート状のウエットティッシュを引き出すことができる。
【００１２】
また、請求項２に係る発明のように、柔軟性シートによって袋状に形成され、上端部を幅方向に切除または破断することによって開封される、自立性を有するパウチ容器において、開封することによって形成された口部に、通気性を有するガセットシートによってトップガセット部を形成しておくと、例えば、内容物が芳香剤のような場合、口部を開くことによって、トップガセット部を広げると、気化した芳香剤が通気性を有するガセットシートを通過して放出されるので、内容物である芳香剤を別の容器に移し替える必要がなく、開封することによって形成された口部を開いて、任意の場所に設置するだけでよい。
【００１３】
特に、請求項３に係る発明のパウチ容器のように、開封することによって形成された口部に、その口部を開状態に保持する口部保持部材を取り付けておくと、トップガセット部を広げた状態に保持することができるので、内容物の取出作業性や放出性能が向上する。
【００１４】
また、請求項４に係る発明のパウチ容器のように、開封することによって形成された口部に、その口部を開閉するファスナー部材を取り付けておくと、不要なときは、口部を閉じることができるので、内容物が湿気を帯びたり、乾燥したり、気化したりすることがなく、内容物の保存性が向上する。
【００１５】
【発明の実施の形態】
以下、実施の形態について図面を参照して説明する。図１〜図７に示すように、このパウチ容器１は、粉状商品である塩胡椒を包装するための包装容器であり、柔軟性シートによって形成された袋本体１０と、この袋本体１０を開封することによって形成される口部を開閉するファスナー部材２０及び口部を開いた状態に保持する口部保持部材３０とから構成されている。
【００１６】
前記袋本体１０は、図２及び図３に示すように、表裏一対の外装シート１１と、両外装シート１１の下端部から内側に折り込まれてボトムガセット部を形成するボトムガセットシート１２と、両外装シート１１の上部側に折り込まれてトップガセット部を形成するトップガセットシート１３とから構成されており、図３（ａ）、（ｂ）に交斜線で示すように、折り込まれたボトムガセットシート１２及びトップガセットシート１３の内面の周縁が外装シート１１の内面にヒートシールされると共に、外装シート１１の内面の上縁部及び両側縁部が相互にヒートシールされることで、袋状に形成されている。
【００１７】
外装シート１１及びボトムガセットシート１２は、ポリエチレンテレフタレート、ポリアミド、ポリプロピレン等からなる基材層の内面側に、エチレン・ビニルアルコールコポリマ（ＥＶＯＨ）やアルミホイル、アルミ蒸着フィルム等からなる単層または複層のガスバリア層及び未延伸ポリプロピレンや未延伸ポリエチレン等からなる熱接着性樹脂層を順次積層した複層構造の柔軟性シートによって形成されており、トップガセットシート１３は、表裏両面が熱接着性を有するポリエチレン等の単層構造または両面にポリエチレンを積層したポリアミド等の複層構造の柔軟性シートによって形成されている。
【００１８】
また、外装シート１１を形成している柔軟性シートは、横方向（袋本体１０の幅方向）に易破断性を有しており、上縁のヒートシール部分にかからないように、袋本体１０の上部両側縁に形成された切込１０ａから、袋本体１０の上端部を破断することによって、このパウチ容器１を開封することができるようになっている。
【００１９】
ボトムガセットシート１２は、二つ折りされた状態で両外装シート１１、１１間に挟み込まれており、ボトムガセットシート１２によって形成されるボトムガセット部の中央部分が綺麗に広がるように、外装シート１１の幅方向の中央部から両側部に向かってシール幅が徐々に大きくなるようにヒートシールされている。
【００２０】
一方、トップガセットシート１３は、図４に示すように、広げたときに皺になりにくくフラットな状態になるように、断面Ｗ字状に折り畳まれた状態で両外装シート１１、１１間に挟み込まれており、図１（ｂ）及び図３（ａ）、（ｂ）に示すように、トップガセットシート１３には、このパウチ容器１に充填される塩胡椒の取出口となる複数の小孔１３ａが形成されている。
【００２１】
前記ファスナー部材２０は、図３（ａ）、（ｂ）及び図６（ａ）〜（ｃ）に示すように、相互に噛合する雄側ファスナー部材２０ａと雌側ファスナー部材２０ｂとから構成されており、雄側ファスナー部材２０ａ及び雌側ファスナー部材２０ｂは、袋本体１０を形成している両外装シート１１の上部内面における切込１０ａの下側の同一高さ位置に、外装シート１１の全幅にわたってそれぞれ熱溶着されている。なお、ファスナー部材２０は、必ずしも、外装シート１１の全幅にわたって配設する必要はなく、外装シート１１における両側縁のヒートシール部分の内側に配設することも可能である。
【００２２】
前記雄側ファスナー部材２０ａは、袋本体１０を形成している外装シート１１の幅と同一の長さを有する帯状の基材シート２１ａと、この基材シート２１ａの幅方向の上側においてその長手方向に延びる、先端が断面鉤状に形成された突条２２ａとから構成されており、基材シート２１ａが一方の外装シート１１の内面に熱溶着されている。
【００２３】
前記雌側ファスナー部材２０ｂは、袋本体１０を形成している外装シート１１の幅と同一の長さを有する帯状の基材シート２１ｂと、この基材シート２１ｂの幅方向の上側においてその長手方向に延びる、雄側ファスナー部材２０ａの突条２２ａと噛合する凹条２２ｂとから構成されており、基材シート２１ｂが他方の外装シート１１の内面に熱溶着されている。
【００２４】
従って、このパウチ容器１では、内容物が収容された状態で密封された袋本体１０の上縁部分を切込１０ａから破断することによって袋本体１０を開封した後も、雄側ファスナー部材２０ａの突条２２ａと雌側ファスナー部材２０ｂの凹条２２ｂとを相互に噛合させることによって（図６（ａ）参照）、袋本体１０の口部を簡単に閉塞することができる。
【００２５】
また、図６（ａ）〜（ｃ）に示すように、袋本体１０を形成している外装シート１１と、この外装シート１１の内面に熱溶着されている雄側ファスナー部材２０ａや雌側ファスナー部材２０ｂとの間には、基材シート２１ａにおける突条２２ａの下側部分や基材シート２１ｂにおける凹条２２ｂの下側部分に、塑性変形する断面円形状の線状体からなる口部保持部材３０が基材シート２１ａ、２１ｂの全長にわたって挟み込まれており、図１（ｂ）及び図５に示すように、この口部保持部材３０の存在によって、袋本体１０を開封することによって形成された口部を開口させたときに、口部がその開口状態に保持されるようになっている。なお、口部保持部材３０は、上述したような断面円形状の線状体に限定されるものではなく、断面略楕円状や断面長方形状の帯状体であってもよい。
【００２６】
前記口部保持部材３０は、超高分子ポリエチレン樹脂、ポリオレフィン樹脂、ポリフェニレンサルファイド樹脂、ポリアミド樹脂、ポリブチレンテレフタレート樹脂、ポリエチレンテレフタレート樹脂、ポリカーボネート樹脂、ポリアセタール樹脂、ポリウレタン樹脂から選択される一または二以上の熱可塑性樹脂を主成分とした樹脂組成物によって形成されており、こういった樹脂組成物を融点または軟化点以上の押出温度で線状または帯状に押出成形し、その押出成形品を１００℃以下に冷却した後、８０〜１８０℃の温度条件下で延伸することによって製造されている。
【００２７】
口部保持部材３０は、上述したように、袋本体１０の口部を開口したときにその開口状態を保持させなければならないので、適度な剛性と塑性変形性を有していなければならないが、こういった適度な剛性と塑性変形性を付与するために、前記樹脂組成物には、ガラス繊維、充填剤（例えば、炭酸カルシウム、クレー、ホワイトカーボン、チタン白、硫酸バリウム、亜鉛等）、可塑材（フタレート系、アジペート系またはポリエステル系の可塑剤）、柔軟材、結晶化促進剤、顔料等が適宜添加されている。
【００２８】
また、上述したように、口部保持部材３０が熱可塑性樹脂を主成分とした樹脂成形品によって形成されている場合、その引張弾性率を高くするほど剛性が大きくなるという相関関係がある。袋本体１０の口部を開口した状態に保持することができる程度の剛性を付与するには、樹脂成形品の引張弾性率（ＪＩＳ−Ｋ−７１６１）を、１２００〜１５０ｋｇｆ／ｍｍ２（１１７６０〜１９６０Ｍｐａ）の範囲内に調整しておく必要があり、このような引張弾性率を確保するためには、樹脂成形品の延伸倍率を２〜５倍の範囲内で調整すればよい。
【００２９】
また、樹脂成形品からなる形状保持部材２４の剛性は、その肉厚によっても変動するため、引張弾性率に応じた肉厚を適宜設定する必要がある。このパウチ容器１における袋本体１０の口部を開口状態に保持するために、断面円形状の線状体を形状保持部材として使用する場合は、その外径を０．５ｍｍ〜５ｍｍ、帯状体を形状保持部材として使用する場合は、その厚みを０．５〜５ｍｍ程度に調整しておく必要がある。さらに、具体的に説明すると、例えば、ポリオレフィン系樹脂を主成分とした形状保持部材の場合、引張弾性率が２００ｋｇｆ／ｍｍ２であれば、肉厚が０．７ｍｍの帯状体または外径が１．５ｍｍの断面円形状の線状体を使用すればよい。
【００３０】
以上のように、このパウチ容器１は、袋本体１０を開封することによって形成された口部に、内容物である塩胡椒の取出口となる複数の小孔１３ａを有するトップガセット部が形成されているので、図１（ｂ）及び図５に示すように、口部を開くと、トップガセット部が広がり、図７に示すように、トップガセット部を下側に向けてパウチ容器１を振ることによって、内容物である塩胡椒がトップガセット部の小孔１３ａから飛び出すので、従来のように、内蓋や外蓋に複数の小孔が形成された専用の瓶容器等に移し替えなくても、そういった瓶容器等に移し替えた場合と同様に、粉状の塩胡椒を任意の箇所にふりかけることができる。従って、専用の瓶容器等が不要となり、こういった瓶容器等がゴミとして廃棄されることもないので、ゴミの減容化を図ることができる。
【００３１】
特に、このパウチ容器１は、袋本体１０を開封することによって形成された口部に、その口部を開状態に保持する口部保持部材３０が取り付けられているので、一旦開いた口部が、内容物である塩胡椒を振りかけている途中に閉じることがなく、塩胡椒の振りかけ作業を円滑かつ確実に行うことができる。
【００３２】
また、このパウチ容器１は、袋本体１０を開封することによって形成された口部に、その口部を開閉するファスナー部材２０が取り付けられているので、不要なときは、ファスナー部材２０によって口部を閉じることができる。従って、袋本体１０に収容された塩胡椒が湿気を帯びることがなく、保存性もよい。
【００３３】
なお、上述した実施形態では、断面Ｗ字状に折り畳まれた状態のトップガセットシート１３を、両外装シート１１、１１間に挟み込むようにしているが、これに限定されるものではなく、ボトムガセットシート１２と同様に、二つ折り（断面Ｖ字状または逆Ｖ字状）した状態で両外装シート１１、１１間に挟み込むことも可能である。
【００３４】
また、上述したパウチ容器１のように、トップガセットシート１３に取出口としての小孔１３ａを形成すると、輸送途中において、トップガセットシート１３によって仕切られた袋本体１０の下部側空間に収容されている塩胡椒が、小孔１３ａを通ってトップガセットシート１３によって仕切られた袋本体１０の上部側空間に入り込むおそれがあるので、内容物である塩胡椒が袋本体１０の上部側空間に入り込まないように、トップガセットシート１３の表面に弱粘着性を付与することによって、開封前の折り畳まれた状態のトップガセットシート１３における相互に接触する、小孔１３ａが形成された部分同士を、剥離可能に接着しておくことが望ましい。
【００３５】
また、上述した実施形態では、粉状の塩胡椒を包装するパウチ容器１について説明したが、これに限定されるものではなく、上述したパウチ容器１を、例えば、芳香剤の包装容器として使用することも可能である。その場合は、気化した芳香剤がトップガセット部の小孔１３ａを通して放出されるので、内容物である芳香剤を別の容器に移し替える必要がなく、袋本体１０を開封することによって形成された口部を開いて、任意の場所に設置するだけでよい。また、芳香剤の包装容器として使用する場合は、再封する必要性に乏しいので、ファスナー部材２０は必ずしも設ける必要はない。
【００３６】
また、上述したパウチ容器１は、内容物が、塩胡椒のように振りかけて使用する粉状商品であるので、取出口としてトップガセット部に複数の小孔１３ａを形成しているが、これに限定されるものではなく、例えば、袋本体に収容される内容物がウエットティッシュのようなシート状の商品の場合は、図８に示すように、トップガセット部を形成しているトップガセットシート１３にシート状の商品Ｍを引き出すための切目１３ｂを形成するといった具合に、袋本体１０に収容される商品に最も適した形態の取出口を適宜採用すればよい。
【００３７】
また、上述した各実施形態では、トップガセット部を形成しているトップガセットシート１３に小孔１３ａや切目１３ｂといった取出口を形成しているが、これに限定されるものではなく、例えば、内容物が芳香剤のように、気化した状態で放出される商品の場合は、メッシュシートや不織布等のような通気性を有する素材によってトップガセットシートを形成すれば、必ずしも、トップガセットシートに小孔１３ａのような取出口を形成する必要はない。特に、内容物が液体芳香剤の場合は、転倒しても液体芳香剤がこぼれないように、通気性に加えて非透水性を有する素材（例えば、通気防水性の微多孔性フィルムやメルトブロー不織布等）によってトップガセットシートを形成しておくことが望ましい。
【００３８】
また、上述した実施形態では、自立性を付与するために、ボトムガセット部を有する袋本体１０を採用したパウチ容器１について説明したが、これに限定されるものではなく、自立性を確保することができるのであれば、例えば、サイドガセット部とトップガセット部とを有する袋本体を採用することも可能である。また、袋本体１０の形状も、例えば、上部側が幅狭となった正面視略台形状等の異形のものでもよい。
【００３９】
また、上述した実施形態では、袋本体１０を形成している外装シート１１と、雄側ファスナー部材２０ａの基材シート２１ａや雌側ファスナー部材２０ｂの基材シート２１ｂとの間に口部保持部材３０を単に挟み込むようにしているが、これに限定されるものではなく、例えば、雄側ファスナー部材の基材シートや雌側ファスナー部材の基材シートに線状または帯状の口部保持部材を埋設したり、雄側ファスナー部材の基材シートや雌側ファスナー部材の基材シートの熱溶着面にそれぞれ収容溝を形成し、この収容溝に形状保持部材を収容した状態で、雄側ファスナー部材や雌側ファスナー部材を外装シートに熱溶着することも可能である。このような構成を採用することによって、外装シートに熱溶着された基材シートが部分的に内側に膨らむことがなく、特に、後者のタイプでは、雄側ファスナー部材の基材シートや雌側ファスナー部材の基材シートに形成された収容溝に形状保持部材を収容しながら、袋本体の製袋及びファスナー部材の熱溶着を行うことができるので、効率よくパウチ容器を製造することができる。
【００４０】
また、上述したように、別部材である形状保持部材を使用するのではなく、ファスナー部材２０自体を適度な剛性を有する塑性変形可能なプラスチック材料によって形成することも可能である。その場合は、雄側ファスナー部材２０ａ全体や雌側ファスナー部材２０ｂ全体を、上述したような特定のプラスチック材料（例えば、口部保持部材３０を形成している樹脂組成物等）によって形成してもよいが、雌側ファスナー部材２０ｂの凹条２２ｂと噛合する雄側ファスナー部材２０ａの突条２２ａの噛合性等を考慮すると、それぞれの基材シート２１ａ、２１ｂ部分のみを上述したような特定のプラスチック材料によって形成し、突条２２ａ部分や凹条２２ｂ部分は通常のプラスチック材料によって形成しておくことが望ましい。
【００４１】
また、上述した実施形態では、雄側ファスナー部材２０ａにおける突条２２ａの下側や雌側ファスナー部材２０ｂにおける凹条２２ｂの下側に口部保持部材３０を配置しているが、これに限定されるものではなく、雄側ファスナー部材及び雌側ファスナー部材の双方の噛合部（突条、凹条）の上側に口部保持部材を配置したり、いずれか一方側については噛合部の下側に、他方側については噛合部の上側に口部保持部材を配置することも可能である。また、口部保持部材は、外装シートの外面側に貼着等して形成してもよい。
【００４２】
また、上述した実施形態では、突条２２ａを有する雄側ファスナー部材２０ａと、凹条２２ｂを有する雌側ファスナー部材２０ｂとからなるファスナー部材２０を使用しているが、これに限定されるものではなく、噛合部が上下２段に形成されたファスナー部材を使用することも可能であり、その場合は、一方のファスナー部材における上下の噛合部間に口部保持部材を配置してもよい。なお、噛合部が上下２段に形成されたファスナー部材を使用する場合は、一対のファスナー部材の双方にそれぞれ突条及び凹条が形成されたものを使用することが望ましい。
【００４３】
また、上述した実施形態では、樹脂成形品からなる口部保持部材３０を使用しているが、これに限定されるものではなく、針金のように、金属を主成分とする材料によって形成された線状または帯状の口部保持部材を使用することも可能である。金属材料からなる口部保持部材の場合は、樹脂材料からなる口部保持部材に比べて、外径または肉厚が小さくても同様の剛性と形状保持性を確保することができ、具体的には、外径または厚みが０．１〜１．５ｍｍ程度の金属材料からなる口部保持部材を使用すればよい。
【００４４】
また、上述した各実施形態では、詰め替え不要のパウチ容器について説明したが、例えば、図２に一点鎖線で示すように、袋本体１０の両側縁におけるトップガセットシート１３の下側に破断用の切込１０ｂ、１０ｂを形成しておくと、その切込１０ｂ、１０ｂ部分で袋本体１０を開封することによって、トップガセットシート１３を取り除くことができるので、従来の詰替用のパウチ容器としても使用することができる。
【図面の簡単な説明】
【図１】（ａ）はこの発明にかかるパウチ容器の一実施形態を示す斜視図、（ｂ）は同上のパウチ容器を開封した状態を示す斜視図である。
【図２】同上のパウチ容器を扁平に折り畳んだ状態を示す平面図である。
【図３】（ａ）は同上のパウチ容器における一方の外装シートを取り除いた状態を示す平面図、（ｂ）は同上のパウチ容器における他方の外装シートを取り除いた状態を示す平面図である。
【図４】図１（ａ）のＸ−Ｘ線に沿った概略断面図である。
【図５】図１（ｂ）のＹ−Ｙ線に沿った概略断面図である。
【図６】（ａ）は同上のパウチ容器に使用されているファスナー部材を示す部分拡大断面図、（ｂ）は同上のファスナー部材の噛合を解除した状態を示す部分拡大断面図、（ｃ）は同上のファスナー部材の噛合を解除した状態を示す分解断面図である。
【図７】同上のパウチ容器の使用状態を示す斜視図である。
【図８】他の実施形態であるパウチ容器を開封した状態を示す斜視図である。
【符号の説明】
１  パウチ容器
１０  袋本体
１０ａ  切込
１１  外装シート
１２  ボトムガセットシート
１３  トップガセットシート
１３ａ  小孔（取出口）
１３ｂ  切目（取出口）
２０  ファスナー部材
２０ａ  雄側ファスナー部材
２０ｂ  雌側ファスナー部材
２１ａ、２１ｂ  基材シート
２２ａ  突条
２２ｂ  凹条
３０  口部保持部材
【図１】
2004256120.tif 000003
【図２】
2004256120.tif 000004
【図３】
2004256120.tif 000005
【図４】
2004256120.tif 000006
【図５】
2004256120.tif 000007
【図６】
2004256120.tif 000008
【図７】
2004256120.tif 000009
【図８】
2004256120.tif 000010